(57)【要約】【課題】  会員利用者の差別化を更なる利用の喚起に資することを可能とすること。【解決手段】  利用金額に応じて有価価値を会員利用者に付与する有価価値付与手段６と、該付与した有価価値の大きさを会員利用者が所持する会員用記録媒体５０に記録されている有価価値特定情報から特定される累積有価価値の大きさに加算更新する有価価値更新手段６と、を備える会員用記録媒体システムにおいて、各会員用記録媒体を個々に識別可能な記録媒体識別情報に対応付けて、当該会員利用者に有価価値を付与する際に用いる付与単位の大きさを特定可能な付与単位特定情報と、該付与単位特定情報から特定される付与単位の大きさの有効期限とを記憶する付与単位記憶手段６を備え、前記有価価値付与手段６は、新たに有価価値を付与する会員用記録媒体５０の記録媒体識別情報に対応付けて前記付与単位記憶手段６に記憶されている有効期限内にその時点が該当することを条件として、該付与単位記憶手段６に当該記録媒体識別情報に対応付けて記憶されている付与単位の大きさに基づいて有価価値を付与する。【選択図】  図１
2005078439.tif 000002
【特許請求の範囲】
【請求項１】
利用金額に応じて、サービスの購入に使用可能な予め定められた大きさの有価価値を会員利用者に付与する有価価値付与手段と、該有価価値付与手段にて付与した有価価値の大きさを会員利用者が所持する会員用記録媒体に記録されている有価価値特定情報から特定される累積有価価値の大きさに加算更新する有価価値更新手段と、を備える会員用記録媒体システムにおいて、
各会員利用者が所持する会員用記録媒体を個々に識別可能な記録媒体識別情報に対応付けて、当該会員用記録媒体を所持する会員利用者に有価価値を付与する際に用いる付与単位の大きさを特定可能な付与単位特定情報と、該付与単位特定情報から特定される付与単位の大きさの有効期限とを記憶する付与単位記憶手段を備え、
前記有価価値付与手段は、新たに有価価値を付与する会員利用者が所持する会員用記録媒体に記録されている記録媒体識別情報に対応付けて前記付与単位記憶手段に記憶されている有効期限内にその時点が該当することを条件として、該付与単位記憶手段に当該記録媒体識別情報に対応付けて記憶されている付与単位の大きさに基づいて有価価値を付与することを特徴とする会員用記録媒体システム。
【請求項２】
前記付与単位および／または前記適用期限を設定変更するための設定変更手段を備える請求項１に記載の会員用記録媒体システム。
【請求項３】
前記設定変更手段は、該設定変更手段にて設定されている付与単位並びに適用期限を適用する適用条件を設定するための適用条件設定手段を含み、
該適用条件設定手段にて設定された適用条件が成立した否かを判定する判定手段と、
該判定手段にて成立したと判定された適用条件に対応して設定されている付与単位並びに適用期限を、該適用条件が成立した会員利用者が所持する会員用記録媒体に記録されている記録媒体識別情報に対応して前記付与単位記憶手段に記憶されている付与単位並びに適用期限に更新登録する付与単位更新手段と、
を備える請求項１または２に記載の会員用記録媒体システム。
【請求項４】
サービスの購入に使用可能とする前記累積有価価値の大きさを設定するための可使価値設定手段と、該可使価値設定手段にて設定された累積有価価値の大きさをサービスの購入に使用可能とする使用可能化手段と、を備える請求項１〜３のいずれかに記載の会員用記録媒体システム。
【請求項５】
前記可使価値設定手段は、該可使価値設定手段にて設定されているサービスの購入に使用可能とする前記累積有価価値の大きさを変更するための変更手段を含む請求項４に記載の会員用記録媒体システム。
【請求項６】
前記累積有価価値の大きさが、前記可使価値設定手段にて設定されているサービスの購入に使用可能とする前記累積有価価値の大きさを超えていることを報知する報知手段を備える請求項４または５に記載の会員用記録媒体システム。
【請求項７】
前記会員用記録媒体は、前記有効期限または付与単位の大きさまたは前記可使価値設定手段にて設定されているサービスの購入に使用可能とする前記累積有価価値の大きさの少なくとも１つを会員利用者が目視にて確認可能な表示部を備える請求項１〜６のいずれかに記載の会員用記録媒体システム。
【発明の詳細な説明】
【技術分野】
【０００１】
本発明は、会員利用者が所持する会員用記録媒体を利用して、各会員利用者に対して、ポイント等のサービスの購入に使用可能な予め定められた大きさの有価価値を、利用金額に応じて付与する会員用記録媒体システムに関する。
【背景技術】
【０００２】
近年、顧客へのサービス向上や固定客を獲得すること等を目的として、会員カード等の会員用記録媒体を利用客に発行し、該会員用記録媒体を用いて各利用客（会員利用者）にポイント等のサービスの購入に使用可能な予め定められた大きさの有価価値を付与する会員用記録媒体システムがある。
【発明の開示】
【発明が解決しようとする課題】
【０００３】
しかしながら、これら従来の会員用記録媒体システムにおいては、全ての会員利用者に対して付与するポイントの付与形態が同じであるために、会員利用者を、例えば利用頻度が高い会員利用者や利用金額の大きい会員利用者を、その他の会員利用者と、付与するポイントの付与形態を有利とすることで差別化するとともに、これらの差別化を更なる利用の喚起に繋げたいとの要望があるが、従来の会員用記録媒体システムでは、これらの要望に対応できないという問題があった。
【０００４】
本発明は、このような問題点に着目してなされたもので、会員利用者の差別化を更なる利用の喚起に資することのできる会員用記録媒体システムを提供することを目的としている。
【課題を解決するための手段】
【０００５】
上記課題を解決するために、本発明の会員用記録媒体システムは、
利用金額に応じて、サービスの購入に使用可能な予め定められた大きさの有価価値を会員利用者に付与する有価価値付与手段と、該有価価値付与手段にて付与した有価価値の大きさを会員利用者が所持する会員用記録媒体に記録されている有価価値特定情報から特定される累積有価価値の大きさに加算更新する有価価値更新手段と、を備える会員用記録媒体システムにおいて、
各会員利用者が所持する会員用記録媒体を個々に識別可能な記録媒体識別情報に対応付けて、当該会員用記録媒体を所持する会員利用者に有価価値を付与する際に用いる付与単位の大きさを特定可能な付与単位特定情報と、該付与単位特定情報から特定される付与単位の大きさの有効期限とを記憶する付与単位記憶手段を備え、
前記有価価値付与手段は、新たに有価価値を付与する会員利用者が所持する会員用記録媒体に記録されている記録媒体識別情報に対応付けて前記付与単位記憶手段に記憶されている有効期限内にその時点が該当することを条件として、該付与単位記憶手段に当該記録媒体識別情報に対応付けて記憶されている付与単位の大きさに基づいて有価価値を付与することを特徴としている。
この特徴によれば、会員利用者への有価価値の付与が、前記付与単位記憶手段に記憶されている有効期限内において、該付与単位記憶手段に記憶されている付与単位の大きさに基づいて実施されるようになるため、会員利用者毎に付与単位の大きさを個々に変更できることから、当該会員利用者の利用状況に応じて付与単位の大きさを変更することで、会員利用者の差別化を図ることが可能となるばかりか、これら付与単位の大きさが有効となる有効期限を設けることで、該有効期限内における会員利用者の利用の意欲を向上できることから、これらの差別化を更なる利用の喚起に資することができる。
【０００６】
本発明の請求項２に記載の会員用記録媒体システムは、請求項１に記載の会員用記録媒体システムであって、
前記付与単位および／または前記適用期限を設定変更するための設定変更手段を備えることを特徴としている。
この特徴によれば、システムの導入者の要望に応じて付与単位および／または前記適用期限を適宜に変更することができる。
【０００７】
本発明の請求項３に記載の会員用記録媒体システムは、請求項１または２に記載の会員用記録媒体システムであって、
前記設定変更手段は、該設定変更手段にて設定されている付与単位並びに適用期限を適用する適用条件を設定するための適用条件設定手段を含み、
該適用条件設定手段にて設定された適用条件が成立した否かを判定する判定手段と、
該判定手段にて成立したと判定された適用条件に対応して設定されている付与単位並びに適用期限を、該適用条件が成立した会員利用者が所持する会員用記録媒体に記録されている記録媒体識別情報に対応して前記付与単位記憶手段に記憶されている付与単位並びに適用期限に更新登録する付与単位更新手段と、
を備えることを特徴としている。
この特徴によれば、適用条件が成立した場合に、自動的に当該成立した適用条件に対応する付与単位並びに適用期限が付与単位記憶手段に更新記憶されるようになるため、これら付与単位並びに適用期限の変更の手間や変更の間違いを大幅に低減することができる。
【０００８】
本発明の請求項４に記載の会員用記録媒体システムは、請求項１ないし３のいずれかに記載の会員用記録媒体システムであって、
サービスの購入に使用可能とする前記累積有価価値の大きさを設定するための可使価値設定手段と、該可使価値設定手段にて設定された累積有価価値の大きさをサービスの購入に使用可能とする使用可能化手段と、を備えることを特徴としている。
この特徴によれば、可使価値設定手段にて設定された累積有価価値の大きさに達するまで、累積有価価値をサービスの購入に使用できないことから、サービスの購入に使用できる大きさの累積有価価値とするための利用を促進することができる。
【０００９】
本発明の請求項５に記載の会員用記録媒体システムは、請求項４に記載の会員用記録媒体システムであって、
前記可使価値設定手段は、該可使価値設定手段にて設定されているサービスの購入に使用可能とする前記累積有価価値の大きさを変更するための変更手段を含むことを特徴としている。
この特徴によれば、システムの導入者の要望に応じてサービスの購入に使用可能とする前記累積有価価値の大きさを適宜に変更することができる。
【００１０】
本発明の請求項６に記載の会員用記録媒体システムは、請求項４または５に記載の会員用記録媒体システムであって、
前記累積有価価値の大きさが、前記可使価値設定手段にて設定されているサービスの購入に使用可能とする前記累積有価価値の大きさを超えていることを報知する報知手段を備えることを特徴としている。
この特徴によれば、会員利用者は、サービスの購入に使用可能とする前記累積有価価値の大きさを累積有価価値が超えていて、サービスの購入に使用可能であることを知覚することができる。
【００１１】
本発明の請求項７に記載の会員用記録媒体システムは、請求項１ないし６のいずれかに記載の会員用記録媒体システムであって、
前記会員用記録媒体は、前記有効期限または付与単位の大きさまたは前記可使価値設定手段にて設定されているサービスの購入に使用可能とする前記累積有価価値の大きさの少なくとも１つを会員利用者が目視にて確認可能な表示部を備えることを特徴としている。
この特徴によれば、会員利用者は、有効期限または付与単位の大きさまたはサービスの購入に使用可能とする前記累積有価価値の大きさの少なくとも１つを容易に確認することができる。
【発明を実施するための最良の形態】
【００１２】
本発明の実施例を以下に説明する。
本発明の実施例を図面に基づいて説明すると、先ず図1は、本実施例の会員用記録媒体システムの全体像を示すブロック図である。尚、本実施例では、本発明の会員用記録媒体システムをセルフガソリンスタンドに適用した例を示すが、本発明はこれに限定されるものではなく、本発明の会員用記録媒体システムをその他の用途に適用できることは言うまでもない。
【００１３】
本実施例の会員用記録媒体システムは、図１に示すように、ガソリンスタンドの各給油島に設置される給油機２に１対１に対応して設けられた給油島ユニット１と、これら各給油島に設置された各給油島ユニット１の管理を行うためのセルフシステムコントローラ（ＳＳＣ）３と、ガソリンスタンドの事務所内に設置され、給油以外の売上の販売に使用されるＰＯＳ端末４と、該ＰＯＳ端末４並びにＳＳＣ３とにデータ通信可能に接続され、ＰＯＳ端末４に接続されているカードリーダライタ５や前記給油島ユニット１に設けられている後述するカードリーダライタ２５に受付けて支払い等に使用された会員用記録媒体である会員カードの管理を行う管理コンピュータ６と、から主に構成されている。
【００１４】
また、ＰＯＳ端末４は、図示しない販売管理センタに設置されている販売管理コンピュータに接続されており、該ＰＯＳ端末４における売上の情報を収集、管理するようになっているとともに、管理コンピュータ６も各会員の利用状況等を把握するための管理サーバに接続されている。
【００１５】
まず、本実施例に用いた給油島ユニット１について説明すると、給油島ユニット１は、給油機２にて給油した給油代金を精算するための装置であり、図２に示すように、その前面に開閉可能に設けられた操作パネル９に、貨幣である紙幣を投入可能とされた紙幣投入口１１と、新たな給油カードを発行可能とされているとともに、会員に発行された会員カード５０を挿入可能とされたカード発行挿入口１０と、前記紙幣投入口１１より投入された紙幣の合計金額（総金額または税引き金額）や、前記カード発行挿入口１０より挿入された給油カードまたは会員カード５０の記録情報に基づく残金額（総残金額または税引き残金額）や、これら投入紙幣の合計金額を逐次表示する金額表示部１３と、油種選択スイッチ１２ａ〜１２ｄにて選択された油種の１リッター当りの単価が表示される単価表示部１４と、前記金額表示部１３において表示される金額に基づき前記選択した油種にて給油可能な油量が表示される給油可能油量表示部１５と、前記金額表示部１３の表示内容を通常表示と税引き金額とで切り換えを行う表示切換スイッチ１２ｅと、該表示切換スイッチ１２ｅに基づき金額表示部１３に表示されている内容が通常表示であるか税引き金額かを示すインジケータ４６ａ、４６ｂと、給油開始時に利用者により選択された油種ノズルのロック解除がなされるとともに、投入された紙幣の残金額への入金が確定されてそれ以降の紙幣投入を受付けがなされなくなる決定スイッチ１２ｆと、会員利用者が蓄積されたポイントを残金額に加算させる価値使用可処理を実施させるために操作されるポイント現金化スイッチ１２ｇと、が設けられている。
【００１６】
この操作パネル９の内部には、前記カード発行挿入口１０に連設するように、該カード発行挿入口１０から挿入される会員カード５０や発行される給油カードの記録情報の読み取りまたは書き込みを実施するカードリーダライタ２５や、紙幣投入口１１に連設するように、該紙幣投入口１１から挿入される紙幣の真贋や紙幣種別を識別する紙幣識別ユニット２７とが設けられている。
【００１７】
これらカードリーダライタ２５や紙幣識別ユニット２７は、前記した各表示部や各スイッチ並びに各インジケータ等が実装されるとともに、給油島ユニット１全体の制御を行う制御マイコン４８が実装された主基板に、インターフェイス部５３を介して接続されており、これらインターフェイス部５３を介して制御マイコン４８と相互にデータの送受が可能とされている。
【００１８】
また、この制御マイコン４８が実装された主基板には、制御マイコン４８が実施する各種処理における各種データ等を記憶可能な記憶部３８や、前記各表示部の表示制御を行う表示ドライバ４７や、前記給油機２とのデータの送受を可能とする通信装置５４と、前記ＳＳＣ３との間における双方向のデータ通信を可能とするための通信部４９と、が設けられており、ＳＳＣ３からの各種の指示データや設定データを受信できるようになっているとともに、投入貨幣のデータや精算内容のデータ並びに精算に使用された給油カードや会員カードの（会員）カードＩＤや、前記ポイント現金化スイッチ１２ｇの操作に基づく使用可能化要求等をＳＳＣ３へ送信できるようになっている。
【００１９】
次に、本実施例に用いたＳＳＣ３について簡潔に説明すると、ＳＳＣ３は、その表面に各給油島に設置された給油島ユニット１の状況や管理メニューが表示される表示部と透明タッチパネルとがその全面に設けられた専用化されたコンピュータとされており、前記給油島ユニット１からの精算情報や使用可能化要求等を管理コンピュータ６に中継するとともに、該管理コンピュータ６から給油島ユニット１への送信も中継するようになっている。
【００２０】
次に、本実施例に用いたＰＯＳ端末４について簡潔に説明すると、本実施例のＰＯＳ端末４は、通常のレジ機能を有するとともに、売上の情報を販売管理センタに設置されている販売管理コンピュータに送信することのできるものとされており、該販売管理コンピュータにて売上状況や販売商品（サービス）の内容を把握、管理することができるとともに、接続されているカードリーダライタ５に会員カード５０の受付けがある場合における売上については、これら販売管理コンピュータに送信される売上とともに、該会員カード５０から読み取られた会員カードＩＤを含む利用情報が管理コンピュータ６に送信されるようになっている。
【００２１】
次に、本実施例に用いた管理コンピュータ６について、図４に基づいて説明すると、該管理コンピュータ６は、コンピュータ内部にてデータの送受を行うデータバス１０１に、後述する記憶装置１０５に記憶されている処理プログラムに基づいて、後述するカード管理データベース（ＤＢ）への新規会員カードの登録処理や、使用された金額とポイント付与単位とに基づいてポイントを付与し累計ポイントに加算更新するポイント付与処理や、後述する会員カードの利用履歴を記憶する履歴記憶処理や、ポイント付与単位を更新するポイント付与単位変更処理や、蓄積された累計ポイントを残金に加算するポイント使用可能化処理等を行うＣＰＵ１０２、ワークメモリ等として使用されるＲＡＭ１０３、時刻情報やカレンダ情報を出力するＲＴＣ１０４、磁気ディスクや光磁気ディスクから成る記憶装置１０５、キーボードやマウス等から成る入力装置１０６、各種情報を表示出力する表示装置１０７、各種情報をプリント出力するプリンタ１０８、前記ＰＯＳ端末４やＳＳＣ３とのデータ通信を行う通信部１０９、新規発行する会員カード５０の情報の読み取りや記録を行うカードリーダライタ１２０が接続される入力インターフェイス（Ｉ／Ｆ）１１０や、前記管理サーバと電話回線を通じてデータ通信を可能とするためのデジタルサービスユニット（ＤＳＵ）１１１が接続された通常のコンピュータである。
【００２２】
また、前記記憶装置１０５には、該管理コンピュータ６の処理を実施するための処理プログラムに加えて、図５に示すカード管理データベース（ＤＢ）や、会員カード５０の利用履歴が登録される利用履歴データベース（ＤＢ）が記憶されている。
【００２３】
この本実施例のカード管理データベース（ＤＢ）には、図５に示すように、会員カード５０に記録されている会員カードＩＤに対応付けて、会員種別（本実施例ではノーマルとＶＩＰとゴールドの３種別）、給油単価、残金額、ポイント付与単位、累計ポイント数、ピント付与単位の有効期限、最新利用日とが記憶されており、これらカード管理データベース（ＤＢ）の記憶内容と会員カード５０に記憶されている残金額や累計ポイント数の照合が可能とされているとともに、精算に使用された会員カード５０の会員カードＩＤに対応して登録されているポイント付与単位と精算に供された利用金額とに基づいて、付与されるポイント数が決定されて、該決定されたポイント数が累計ポイント数に加算更新される。
【００２４】
これらポイント付与単位は、前記表示装置１０７に表示される図６に示すポイント設定ページにおいて設定される適用条件が成立したときに、該適用条件に対応して設定されているポイント付与単位が前記カード管理データベース（ＤＢ）に記憶されているポイント付与単位に登録されることで、当該ポイント付与単位が自動的に適用されるようになっている。
【００２５】
この本実施例のポイント設定ページには、図６に示すように、ポイント付与単位を適用するための適用条件を選択設定するための「適用条件」の項目と、該「適用条件」の成立した場合に該当する会員種別を選択設定するための「該当会員種別」の項目と、利用額１００円につき付与するポイント数であるポイント付与単位を選択設定するための「付与単位」の項目と、当該ポイント付与単位の有効期限を選択設定するための「有効期限」の項目とが設けられているとともに、該設定ページの下方位置には、「新規設定」と「既存設定変更」の選択入力部が設けられている。
【００２６】
このポイント設定ページにて新たなポイント付与単位を設定する場合の例を、図６に示す例に基づいて説明すると、例えば、オイル交換を実施した会員利用者の種別を「ＶＩＰ会員」とするとともに、そのポイント付与単位を２ポイントとし、その有効期限を３ヶ月間としたい場合には、前記「適用条件」の設定項目から「オイル交換」を選択し、「該当会員種別」の項目から「ＶＩＰ会員」を選択し、「付与単位」の項目から「２Ｐ」を選択し、有効期限」の項目から「３ヶ月」を選択した後、「新規設定」を設定することで該設定内容が記憶されて設定される。尚、この際、設定した「適用条件」である「オイル交換」に既に他の設定内容が設定されていた場合には、既存の設定内容は消去され、新たに設定された内容に変更されるようになる。
【００２７】
また、既存の設定内容を削除したり、その内容を確認して変更したい場合には、「既存設定変更」の選択入力部を選択入力することで、各適用条件に対応して記憶されている設定内容の一覧が表示され、該一覧から削除や変更したい設定内容を選択して、「削除」または「変更」の選択入力部を選択入力することで、既に設定されている設定内容を削除、或いは変更することができる。尚、一覧から変更したい設定内容を選択して「変更」の選択入力部を選択入力した場合には、該選択した設定内容が表示された図６の設定ページとなり、該設定ページにおいて内容を変更できるようになっている。
【００２８】
また、本実施例の管理コンピュータ６では、図７に示すように、累計ポイントを残金に加算できるようになるポイント数を設定するためのポイント使用設定ページが設けられており、例えば、３００Ｐ以上となった場合において、３００円を残金に加算する場合には、該ポイント使用設定ページに設けられている「使用可能可累計ポイント数」の項目に「３００Ｐ」を設定すれば良い。
【００２９】
また、本実施例では、ポイント使用設定ページに、累計ポイント数が「使用可能可累計ポイント数」の項目に設定されているポイント数以上である場合に、累計ポイント数の残金額への加算が可能である旨を会員利用者に報知するためのメッセージを、会員カード５０のメッセージ表示部５５（図８参照）に印字するか否かを設定するための「使用可能報知メッセージ」のチェックボックスを設けており、該チェックボックスをチェックすることで、報知メッセージが会員カード５０のメッセージ表示部５５に印字されるようになる。
【００３０】
次に、本実施例に用いた会員カード５０について説明すると、本実施例に用いた会員カード５０は図８に示すように、その一面に繰返し記録、消去が可能なリライト表示部５２を有し、その裏面にデータ記録可能な磁気印刷層を備えるリライト磁気カードとされていて、磁気印刷層には、各会員カード５０を個々に識別可能な記録媒体識別情報としての会員カードＩＤや、残金額、給油単価、累計ポイント数、前回利用日、会員種別データ等のデータが、前記各カードリーダライタによって記録されているとともに、前記リライト表示部５２の印字や消去も前記カードリーダライタによって実施される。
【００３１】
そして、リライト表示部５２は、大きく分けて３つの領域に分けられており、リライト表示部５２の上方領域は、ガソリンスタンドにおける給油量や給油単価、カード残金額や現金による支払額、最新の給油利用日、給油等により付与されたポイント数並びに累計ポイント数等の給油並びに給油に伴う金銭に関する表示情報が記録表示されるプリペイド表示領域５４と、リライト表示部５２の下方領域は、各会員または会員が所有する車輌に関する情報、例えば、会員種別や会員の氏名、ポイント付与単位の有効期限、会員カードＩＤ、車検日や前回のオイル交換日や走行距離、次回のオイル交換の目安となる交換日や走行距離、コーティング処理等の実施日等の情報が記録表示される会員情報表示領域５６と、該会員情報表示領域５６と前記プリペイド表示領域５４とに挟まれ、カードに所持者へのメッセージ情報、例えば前記した使用可能報知メッセージが記録表示されるメッセージ情報表示領域５５とされていて、各表示領域（表示範囲）には、各表示領域の全面に、各表示領域に対応する異なる色、例えばプリペイド表示領域５４には黄色、メッセージ情報表示領域５５には無色、会員情報表示領域５６にはピンク色のように、色分けされることで、各表示領域（表示範囲）を目視にて容易に識別できるようになっている。
【００３２】
また、本実施例では、プリペイド表示領域５４内に今回利用によって新たに付与されたポイント数と、該新たに付与されたポイント数が加算更新された累計ポイント数が印字されるポイント表示部５７が設けられており、このようにすることで、会員利用者が付与されたポイント数と累計ポイント数を確認することができるようになっている。
【００３３】
また、前記メッセージ情報表示領域５５には、当該会員利用者へのポイント付与に適用されるポイント付与単位を報知するメッセージ、例えば、図８に示すように、「利用１００円毎に２Ｐ加算します。」のメッセージが表示されるようになっており、このようにすることは、会員利用者はポイント付与単位の大きさを、当該会員カード５０をカードリーダライタ等の装置に挿入することなく容易に確認できることから好ましいが、本発明はこれに限定されるものではなく、これらのポイント付与単位の表示を実施しないようにしても良い。
【００３４】
また、前記メッセージ情報表示領域５５には、使用可能報知メッセージである「３００Ｐ貯蓄済、残金額に加算できます！！」が印字されるようになっており、このようにすることは、累計ポイントを残金額に加算できることを、当該会員カード５０をカードリーダライタ等の装置に挿入することなく容易に確認できることから好ましいが、本発明はこれに限定されるものではない。
【００３５】
また、会員情報表示領域５６にはポイント付与単位の有効期限が印字されるようになっており、このようにすることは、これらはポイント付与単位の有効期限を、当該会員カード５０をカードリーダライタ等の装置に挿入することなく容易に確認できることから好ましいが、本発明はこれに限定されるものではなく、これらのポイント付与単位の有効期限の表示を実施しないようにしても良い。
【００３６】
以下、本実施例の会員用記録媒体システムにおいて実施されるポイント付与単位変更処理について、図９に基づいて説明する。尚、会員利用者には既に会員カード５０を発行してノーマル会員として登録されており、そのポイント付与単位としては「１Ｐ」（利用１００円毎に１Ｐ加算する）とされていて、その有効期限は無期限とされている。
【００３７】
この段階において、会員利用者がオイル交換を実施してオイル交換の代金を前記ＰＯＳ端末４にて精算する場合に、会員カード５０を提示すると、該会員カード５０がカードリーダライタ５に挿入されるとともに、ＰＯＳ端末４の商品メニューから「オイル交換」を選択することで、代金が表示されて精算が実施される。
【００３８】
この精算に際して、カードリーダライタ５に挿入された会員カード５０から読み出された記録情報のうち、会員カードＩＤと残金額と累計ポイント数の情報とともに、利用内容がオイル交換であることを特定可能な利用コードデータと利用金額とカード利用金額とを含む利用情報が管理コンピュータ６に送信されることに基づいて、該管理コンピュータ６において、当該会員カード５０の利用履歴として、利用日時に対応付けて会員カードＩＤと利用コードと利用金額が利用履歴ＤＢに登録されるとともに、当該会員カードＩＤに対応して前記カード管理ＤＢに登録されている残金額と累計ポイント数とポイント付与単位とが特定され、当該特定された残金額と累計ポイント数と利用情報に含まれる残金額と累計ポイント数との比較による照合が実施され、照合が一致した場合において、前記特定したカード管理ＤＢの残金額から利用情報に含まれるカード利用金額を減算更新するとともに、特定したポイント付与単位と利用情報に含まれる利用金額とから新たに付与するポイント数を算出し、該算出したポイント数を前記特定したカード管理ＤＢの累計ポイント数に加算更新してポイント付与を実施し、当該日付を最新利用日に登録する。尚、照合が不一致の場合には、ＰＯＳ端末４に対してエラーの旨を返信することで、会員カード５０の利用が不能とされる。
【００３９】
これらの更新を実施した後、管理コンピュータ６は、図９に示すポイント付与単位変更処理に移行する。このポイント付与単位変更処理においては、まず、前記利用履歴ＤＢに新たに登録した利用内容に基づいて、前記ポイント設定ページ（図６参照）において設定されている適用条件が成立したか否かを判定する（Ｓ１）。
【００４０】
該判定において、適用条件が成立していない場合にはポイント付与単位変更処理を終了し、メインの処理ルーチンへ戻り、適用条件が成立している場合には、Ｓ２へ進んで、該利用履歴に記憶されている会員カードＩＤに対応する現行のポイント付与単位を、前記カード管理ＤＢの記録情報から特定する。
【００４１】
そして、該特定したポイント付与単位と、Ｓ１にて成立したと判定した適用条件に対応して設定されているポイント付与単位とを比較する（Ｓ３）。
【００４２】
該比較において、現行のポイント付与単位（現行単位）が成立したと判定した適用条件に対応して設定されているポイント付与単位（新規単位）よりも大きい場合には、ポイント付与単位変更処理を終了し、メインの処理ルーチンへ戻り、現行単位が新規単位以下である場合、つまりは新規単位が現行単位以上である場合には、Ｓ５に進んで、新規単位を当該利用履歴に記憶されている会員カードＩＤに対応してカード管理ＤＢに記憶されている現行単位に代えて更新記憶するとともに、対応する有効期限に、成立したと判定した適用条件に対応する有効期限から特定される期日を登録してカード管理ＤＢを更新する。
【００４３】
これら一連のカード管理ＤＢの更新後において、これら更新後の残金額と累計ポイント数と前記算出された付与ポイント数と更新後のポイント付与単位（変更の有無に拘わらず）を含む更新完了情報がＰＯＳ端末４に返信されることで、更新後の新たな残金額と累計ポイント数が会員カード５０に更新記録されるとともに、リライト表示部５２における残金額と累計ポイント数並びに今回のポイント数並びにポイント付与単位の値に、更新後の新たな残金額と累計ポイント数と付与ポイント数とポイント付与単位の値とともに、当該利用日がリライトされて該会員カード５０がカードリーダライタ５から排出されて会員利用者に返却される。
【００４４】
尚、カード管理ＤＢにおける会員種別は、図示しない会員種別更新処理において「ノーマル」から「ＶＩＰ」或いは「ゴールド」に更新される。
【００４５】
これら返却された会員カード５０を用いて給油を行う場合の利用状況について説明すると、会員利用者が会員カード５０を前記給油島ユニット１のカード発行挿入口１０に挿入すると、カードリーダライタ２５によって該会員カード５０から記録情報が読み出され、該読み出された記録情報のうち、会員カードＩＤと残金額のデータを含む使用許諾要求がＳＳＣ３を中継して管理コンピュータ６へ送信される。
【００４６】
この使用許諾要求を受信した管理コンピュータ６は、受信した使用許諾要求に含まれる会員カードＩＤに対応して前記カード管理ＤＢに記憶されている残金額と給油単価とを特定し、該特定した残金額と受信した使用許諾要求に含まれる残金額とを照合し、照合が一致した場合において、使用許諾要求を送信した給油島ユニット１に対して特定した給油単価を含む使用許諾情報を返信する。
【００４７】
この使用許諾情報の受信に基づいて、制御マイコン４８は、会員カード５０から読み出した残金額を金額表示部１３に表示する。この際、利用者は該表示内容を消費税引きの金額表示としたい場合、若しくは通常の金額表示としたい場合には、前記表示切替スイッチ１２ｅを押圧操作して、適宜表示を切り換えることが可能とされており、前記金額表示部１３に現在表示されている表示内容は、対応するインジケータ４６ａ、４６ｂが個々に点灯されて示されるようになっている。
【００４８】
この段階で、会員利用者が油種を選択すると、当該油種に対応する単価が、前記使用許諾情報に含まれるレギュラーに対応する給油単価に基づいて算出（例えばプレミアムは１０円加算）されて単価表示部１４に表示されるとともに、金額表示部１３に表示されている金額にて給油可能な油量が、当該金額と単価表示部１４に表示される単価とに基づいて算出されて給油可能油量表示部１５に表示される。
【００４９】
この給油可能油量表示部１５に表示された給油可能油量が、会員利用者が所望する量に満たない場合には、利用者は前記紙幣投入口１１より所望の金額、例えば１０００円紙幣を２枚、２０００円を挿入することで、該挿入された紙幣の金種が前記紙幣識別ユニット２７にて識別されて前記制御マイコン４８に出力され、前記金額表示部１３の残金額に該投入金額が加算された合計金額が、逐次表示されていくとともに、給油可能油量表示部１５に表示される油量も増加する。
【００５０】
これら給油可能油量表示部１５に表示される油量が所望する量以上となった段階において、会員利用者が決定スイッチ１２ｆを操作すると、給油機２において会員利用者にて選択された油種ノズルのロックが解除されることで、給油を実施できるようになる。
【００５１】
そして、給油を実施することにより、給油された油量が給油機２から給油島ユニット１に出力されることで、給油した代金が算出されて金額表示部１３から逐次減算されていくとともに、金額表示部１３の減算にともなって給油可能油量表示部１５に表示される油量も減算更新される。そして、所望の量の給油を実施して油種ノズルを給油機２に戻すことにより、その時点までに金額表示部１３の金額から減算した給油代金と、投入紙幣による投入金額と、金額表示部１３に表示されている新たな残金額と、会員カードＩＤとを含む利用情報がＳＳＣ３を中継して管理コンピュータ６へ送信される。
【００５２】
この利用情報の受信に基づいて管理コンピュータ６は、当該会員カード５０の利用履歴として、利用日時に対応付けて会員カードＩＤと利用コードと利用金額（給油代金）を利用履歴ＤＢに登録するとともに、当該会員カードＩＤに対応して前記カード管理ＤＢに登録されている残金額とポイント付与単位と利用期限とを特定し、当該特定された残金額に利用情報に含まれる新たな残金額を更新登録するとともに、特定した利用期限内であるか否かを判定し、利用期限内である場合において、特定したポイント付与単位と利用情報に含まれる給油代金（利用金額）とから新たに付与するポイント数を算出し、該算出したポイント数を前記特定したカード管理ＤＢの累計ポイント数に加算更新してポイント付与を実施し、当該日付を最新利用日に登録する。尚、利用期限が経過している場合には、最も低いポイント付与単位にてポイントを付与する。
【００５３】
そして、これらの更新を実施した後、管理コンピュータ６は、新たな累計ポイント数がポイント使用設定に設定されている使用可能化累計ポイント数である、例えば３００Ｐに達しているか否かを判定し、達している場合には、これら更新後の累計ポイント数と前記算出された付与ポイント数と使用可能化処理が可能である旨の情報とを含む更新完了情報が利用情報を送信した給油島ユニット１に返信されることで、新たな残金額と累計ポイント数が会員カード５０に更新記録されるとともに、新たな残金額と累計ポイント数と付与ポイント数と利用日付とがリライト表示部５２にリライトされるとともに、使用可能報知メッセージである「３００Ｐ貯蓄済、残金額に加算できます！！」がメッセージ情報表示領域５５にリライトされ、会員カード５０がカード発行挿入口１０から排出されて会員利用者に返却される。
【００５４】
該返却された会員カード５０のメッセージ情報表示領域５５に使用可能報知メッセージである「３００Ｐ貯蓄済、残金額に加算できます！！」が印字されている場合には、会員利用者は、３００Ｐを残金に加算させる使用可能化処理を受けることができる。
【００５５】
この使用可能化処理を受ける場合には、まず、給油島ユニット１に設けられているポイント現金化スイッチ１２ｇを操作した後、カード発行挿入口１０に会員カード５０を挿入する。
【００５６】
このポイント現金化スイッチ１２ｇの操作並びに会員カード５０の挿入に基づいて制御マイコン４８は、カードリーダライタ２５により挿入された会員カード５０から読み出した記録情報のうち、会員カードＩＤを含む使用可能化要求を、ＳＳＣ３を中継して管理コンピュータ６へ送信する。
【００５７】
この使用可能化要求の受信に基づいて管理コンピュータ６は、図１０に示すポイント使用可能化処理に移行する。このポイント使用可能化処理においては、まず、受信した使用可能化要求に含まれる会員カードＩＤに対応してカード管理ＤＢに記憶されている累計ポイント数を特定し（Ｓｂ１）、該特定した累計ポイント数がポイント使用設定ページ（図７参照）にて設定されている使用可能化累計ポイント数の値である、例えば３００Ｐ以上であるか否かを判定する（Ｓｂ２）。
【００５８】
該判定において、使用可能化累計ポイント数の値である３００Ｐ未満の場合には、Ｓｂ５に進んでエラーを使用可能化要求の送信元の給油島ユニット１に返信した後、ポイント使用可能化処理を終了してメインの処理ルーチンへ戻ることで、エラーを受信した給油島ユニット１にて会員カード５０がカード発行挿入口１０から排出、返却される。
【００５９】
一方、Ｓｂ２の判定において使用可能化累計ポイント数の値である３００Ｐ以上である場合には、Ｓｂ３へ進んで、受信した使用可能化要求に含まれる会員カードＩＤに対応してカード管理ＤＢに記憶されている残金額に使用可能化累計ポイント数の値である３００Ｐに相当する金額である３００円を加算更新するとともに、対応する累計ポイント数の値から３００Ｐを減算更新した後、Ｓｂ４へ進んで、更新後の新たな残金額と新たな累計ポイント数とを含む処理終了通知を使用可能化要求の送信元の給油島ユニット１に送信することで、これら使用可能化要求に含まれる新たな残金額と新たな累計ポイント数が、会員カード５０にデータ記録されるとともに、リライト表示部５２にリライトされた後、会員カード５０がカード発行挿入口１０から排出されて会員利用者に返却される。
【００６０】
尚、本実施例では、３００Ｐ以上で３００Ｐを加算更新するようにしているが、本発明はこれに限定されるものではなく、３００Ｐ以上において、その時点でのポイント数全てを残金に加算できるようにしても良い。
【００６１】
以上、本実施例によれば、会員利用者への有価価値であるポイントの付与が、付与単位記憶手段であるカード管理ＤＢに記憶されている有効期限内において、該カード管理ＤＢに記憶されているポイント付与単位の大きさに基づいて実施されるようになるため、会員利用者毎にポイント付与単位の大きさを個々に変更できることから、当該会員利用者の利用状況に応じてポイント付与単位の大きさを変更することで、会員利用者の差別化を図ることが可能となるばかりか、これらポイント付与単位の大きさが有効となる有効期限を設けることで、該有効期限内における会員利用者の利用の意欲を向上できることから、これらの差別化を更なる利用の喚起に資することができる。
【００６２】
また、本実施例によれば、設定変更手段となるポイント設定ページにおいて、ポイント付与単位並びに適用期限である有効期限とを、システムの導入者の要望に応じて適宜に変更することができる。尚、本実施例では、ポイント付与単位並びに適用期限の双方を変更設定できるようにしているが、本発明はこれに限定されるものではなく、これらのいずれか一方のみでも良い。
【００６３】
また、本実施例によれば、適用条件が成立した場合に、自動的に当該成立した適用条件に対応するポイント付与単位並びに適用期限（有効期限）が付与単位記憶手段であるカード管理ＤＢに更新記憶されるようになるため、これらポイント付与単位並びに適用期限（有効期限）の変更の手間や変更の間違いを大幅に低減することができる。
【００６４】
また、本実施例によれば、可使価値設定手段であるポイント使用設定ページにおいて、サービスの購入に使用可能とする前記累積有価価値の大きさである使用可能化累計ポイント数を設定でき、該設定された使用可能化累計ポイント数の値まで累積有価価値である累計ポイント数が達しないと累計ポイント数をサービスの購入に使用可能な残額に加算できないことから、これら使用可能化累計ポイント数とするための利用を促進することができる。
【００６５】
また、本実施例によれば、使用可能化累計ポイント数の値をポイント使用設定ページにおいて変更できるようになっており、このようにすることは、システムの導入者の要望に応じて使用可能化累計ポイント数の値を変更できるようになる。
【００６６】
また、本実施例によれば、メッセージ情報表示領域５５に使用可能報知メッセージである「３００Ｐ貯蓄済、残金額に加算できます！！」が印字されることで、会員利用者は、累計ポイント数が使用可能化累計ポイント数を超えていて、サービスの購入に使用可能となる残額に加算できることを知覚することができる。
【００６７】
尚、本実施例では、メッセージ情報表示領域５５に使用可能報知メッセージを表示することで報知手段を構成しているが、本発明はこれに限定されるものではなく、これらの報知を、例えば給油島ユニット１において、音声やランプの点灯により報知するようにしても良い。
【００６８】
以上、本発明の実施例を図面により説明してきたが、具体的な構成はこれら実施例に限られるものではなく、本発明の要旨を逸脱しない範囲における変更や追加があっても本発明に含まれる。
【００６９】
例えば、上記実施例では、会員用記録媒体である会員カード５０として、リライト磁気カードを使用しているが、本発明はこれに限定されるものではなく、これら会員カードに使用する記録媒体を、リライト機能を有するＩＣカードとしたり、或いはリライト機能を有しない通常の磁気カード或いはＩＣカードとしても良い。
【００７０】
また、前記実施例では管理コンピュータ６を設けて各会員利用者のポイント付与単位と有効期限とを、会員カードＩＤに対応付けてカード管理ＤＢに記憶、管理するようにしているが、本発明はこれに限定されるものではなく、例えば、会員カードの記録媒体としてセキュリティ性の高いＩＣカードを用いる場合等においては、これら管理コンピュータ６を設けずに、会員カードＩＤが記録された各会員カードに、ポイント付与単位と有効期限とを記憶しておき、当該会員カードにて付与単位記憶手段を構成するようにしても良い。
【００７１】
また、前記実施例では、ポイント付与の処理を管理コンピュータ６において実施するようにしているが、本発明はこれに限定されるものではなく、例えば前述のように、会員カードにて付与単位記憶手段を構成して管理コンピュータ６を設けない場合等にあっては、給油島ユニット１やＰＯＳ端末４にて、会員カードに記録されているポイント付与単位と有効期限と利用金額とに基づいて、ポイント付与処理を実施するようにしても良い。
【図面の簡単な説明】
【００７２】
【図１】本発明の実施例における会員用記録媒体システムの全体構成を示すブロック図である。
【図２】本発明の実施例に用いた給油島ユニットを示す正面図である。
【図３】本発明の実施例に用いた給油島ユニットの構成を示すブロック図である。
【図４】本発明の実施例に用いた管理コンピュータの構成を示すブロック図である。
【図５】本発明の実施例に用いた管理コンピュータにおけるカード管理データベースを示す図である。
【図６】本発明の実施例に用いた管理コンピュータにおけるポイント設定ページを示す図である。
【図７】本発明の実施例に用いた管理コンピュータにおけるポイント使用設定ページを示す図である。
【図８】本発明の実施例に用いた会員カードを示す図である。
【図９】本発明の実施例に用いた管理コンピュータにおけるポイント付与単位変更処理の処理内容を示すフロー図である。
【図１０】本発明の実施例に用いた管理コンピュータにおけるポイント使用可能化処理の処理内容を示すフロー図である。
【符号の説明】
【００７３】
１                給油島ユニット
２                給油機
３                セルフシステムコントローラ
４                ＰＯＳ端末
５                カードリーダライタ
６                管理コンピュータ
５０              会員カード
【図１】
2005078439.tif 000003
【図２】
2005078439.tif 000004
【図３】
2005078439.tif 000005
【図４】
2005078439.tif 000006
【図５】
2005078439.tif 000007
【図６】
2005078439.tif 000008
【図７】
2005078439.tif 000009
【図８】
2005078439.tif 000010
【図９】
2005078439.tif 000011
【図１０】
2005078439.tif 000012